(57)【特許請求の範囲】
【請求項１】
温風を吹き出す温風吹出機の内部にダンパー装置を設置し、ダンパー装置の背面開口に室内の空気を強制排気するための換気用ファンを設けると共に換気用ファンの背後に排気口を設け、前記ダンパー装置に浴室に向けて開放された浴室側吸気口を設け、前記ダンパー装置にダクト接続部を開口して浴室以外の部屋に設けられた吸気口をダクトを介して前記ダクト接続部に接続し、前記ダンパー装置内に前記浴室側吸気口と前記ダクト接続部とを選択的に閉じることができる切換ダンパーを設け、浴室及び浴室以外の部屋にそれぞれリモートコントローラを備え、前記浴室に備えたリモートコントローラのみが換気スイッチをオンにされた場合には前記切換ダンパーが前記ダンパー装置のダクト接続部を閉成し、前記浴室以外の部屋に備えたリモートコントローラのみが換気スイッチをオンにされた場合には前記切換ダンパーが前記ダンパー装置の浴室側吸気口を閉成し、前記浴室に備えたリモートコントローラ及び前記浴室以外の部屋に備えたリモートコントローラが換気スイッチをオンにされた場合には前記切換ダンパーは前記ダンパー装置の浴室側吸気口とダクト接続部との中間位置で停止するようにしたことを特徴とする浴室暖房乾燥装置。
【発明の詳細な説明】
【０００１】
【発明の属する技術分野】
本発明は、浴室やトイレなどの換気を行なう機能を有する浴室暖房乾燥装置に関する。
【０００２】
【従来の技術】
浴室やトイレに換気設備を設ける場合、従来にあっては、図１に示すように浴室用の換気装置１とトイレ用の換気装置２を浴室ＢとトイレＴにそれぞれ別個独立に設置していた。従って、浴室Ｂには、浴室用の換気用ファン３やその排気ダクト４、リモートコントローラ５を施工し、トイレＴには、トイレ用の換気用ファン６やその排気ダクト７、リモートコントローラ８を施工する必要があった。
【０００３】
このため浴室ＢとトイレＴにそれぞれ換気装置１，２を施工する必要があり、設備コストが高くついていた。また、施工にも手間が掛かるので、施工費用も高くついていた。
【０００４】
そこで、浴室ＢとトイレＴの換気を同時に行なうことのできる換気装置として、図２に示すような換気装置１１が提案されている。これは天井裏などに換気用ファン１２を設置し、浴室Ｂに設けた浴室暖房乾燥装置１３に換気用の吸気口１４を設け、トイレＴにも吸気口１５を設け、浴室側の吸気口１４とトイレ側の吸気口１５を排気ダクト１６，１７によって換気用ファン１２に接続したものである。また、換気用ファン１２と浴室暖房乾燥装置１３とをコード１８で接続し、温風暖房乾燥装置１３のリモートコントロール１９から換気用ファン１２をオン／オフできるようにしている。
【０００５】
このような換気装置によれば、換気用ファンを浴室とトイレで共用できるので、設備コストを安価にでき、施工手間も軽減される。
【０００６】
しかし、図２のような換気装置では、換気用ファン１２を運転して浴室ＢとトイレＴを同時に換気する必要があるので、力の強い換気用ファン１２が必要となり、設備面でも電力面でも高コストとなっていた。さらには、換気用ファン１２の操作は１箇所、例えば浴室Ｂでしか行なえず、使い勝手が悪かった。また、浴室暖房乾燥装置１３とは別に、換気用ファン１２を天井裏などに設置しなければならないので、施工性が悪かった。
【０００７】
【発明が解決しようとする課題】
本発明は叙上の従来例の欠点に鑑みてなされたものであり、その目的とするところは、設備コスト及び運転コストが安価で、使い勝手も良好な複数室用の浴室暖房乾燥装置を提供することにある。
【０００８】
【発明の開示】
本発明に係る浴室暖房乾燥装置は、温風を吹き出す温風吹出機の内部にダンパー装置を設置し、ダンパー装置の背面開口に室内の空気を強制排気するための換気用ファンを設けると共に換気用ファンの背後に排気口を設け、前記ダンパー装置に浴室に向けて開放された浴室側吸気口を設け、前記ダンパー装置にダクト接続部を開口して浴室以外の部屋に設けられた吸気口をダクトを介して前記ダクト接続部に接続し、前記ダンパー装置内に前記浴室側吸気口と前記ダクト接続部とを選択的に閉じることができる切換ダンパーを設け、浴室及び浴室以外の部屋にそれぞれリモートコントローラを備え、前記浴室に備えたリモートコントローラのみが換気スイッチをオンにされた場合には前記切換ダンパーが前記ダンパー装置のダクト接続部を閉成し、前記浴室以外の部屋に備えたリモートコントローラのみが換気スイッチをオンにされた場合には前記切換ダンパーが前記ダンパー装置の浴室側吸気口を閉成し、前記浴室に備えたリモートコントローラ及び前記浴室以外の部屋に備えたリモートコントローラが換気スイッチをオンにされた場合には前記切換ダンパーは前記ダンパー装置の浴室側吸気口とダクト接続部との中間位置で停止するようにしたことを特徴としている。
【０００９】
本発明に係る浴室暖房乾燥装置にあっては、温風吹出機の内部に設置したダンパー装置の背面開口に換気用ファンを設け、浴室に向けて開放された浴室側吸気口をダンパー装置に設け、浴室以外の部屋に設けられた吸気口をダクトを介してダンパー装置のダクト接続部に接続して浴室と浴室以外の部屋を換気できるようにしているので、換気用ファンを共用化でき、設備コストを安価にでき、施工手間も軽減することができる。
【００１０】
しかも、浴室に備えたリモートコントローラのみが換気スイッチをオンにされた場合には切換ダンパーがダンパー装置のダクト接続部を閉成し、浴室以外の部屋に備えたリモートコントローラのみが換気スイッチをオンにされた場合には切換ダンパーがダンパー装置の浴室側吸気口を閉成して浴室側吸気口と吸気口の通風側を切り替えられるようにしているので、従来例に比べて力の弱い換気用ファンでも各室の換気を行なうことができ、設備コストや電力コストをより安価にできる。また、浴室に備えたリモートコントローラと浴室以外の部屋に備えたリモートコントローラがともに換気スイッチをオンにされた場合には、切換ダンパーがダンパー装置の浴室側吸気口とダクト接続部との中間位置で停止するので、浴室と浴室以外の部屋とを同時に換気することができる。
【００１１】
さらに、各室にリモートコントローラを設けているので、各室から換気用ファン及び切替ダンパーを制御して換気運転のオン、オフを行なうことができ、浴室暖房乾燥装置の使い勝手が良好になる。
【００１２】
また、本発明に係る浴室暖房乾燥装置においては、ダンパー装置を温風吹出機の内部に設置し、例えばトイレに設けられた吸気口をダクトを介してダクト接続部に接続し、温風吹出機や換気用ファンを一体にまとめているので、施工工事を簡単にすることができる。
【００１３】
【発明の実施の形態】
図３は本発明の一実施形態による浴室暖房乾燥装置２１を示す概略図である。浴室暖房乾燥装置２１は、温風吹出機２２と換気用ファン２３を備えている。温風吹出機２２は、電気ヒータ２４（温水を循環させて空気を加熱する熱交換器でもよい）とフロースルーファンのような循環ファン２５とからなり、吸込口２６から吸込んだ空気を加熱して温風吹出し口２７から温風を吹出すものである。しかして、温風吹出し口２７から比較的低温の温風を吹き出して浴室暖房を行なったり、温風吹出し口２７から比較的高温の温風を吹き出して浴室に吊るした衣類を乾燥させたりすることができる。
【００１４】
また、この浴室暖房乾燥装置２１は、ダンパー装置２８を有しており、ダンパー装置２８の背面に換気用ファン２３が設けられ、換気用ファン２３の後ろに排気口２９が開口されている。また、ダンパー装置２８には、浴室暖房乾燥装置２１の設置空間（すなわち、浴室）に開放された浴室側吸気口３０とダクト接続部３１が設けられており、ダンパー装置２８内部の切替ダンパー３２はモータ３３によって駆動され、浴室側吸気口３０又はダクト接続部３１を選択的に塞ぐことができるようになっている。また、この浴室暖房乾燥装置２１には、２つのリモートコントローラ３４，３５を接続できるようになっている。
【００１５】
ここで、この浴室暖房乾燥装置２１を浴室ＢとトイレＴ（トイレに限るものではないが、以下においてはトイレを例にとって説明する）の換気を行なえるように施工する場合を図４により説明する。まず、この浴室暖房乾燥装置２１は、浴室Ｂの壁や天井に取り付けられる。一方、トイレＴには、吸気口３６が設けられる。そして、トイレＴの吸気口３６は、吸気ダクト３７を介して、浴室暖房乾燥装置２１内部のダンパー装置２８に設けられているダクト接続部３１に接続される。また、浴室暖房乾燥装置２１の排気口２９には、排気ダクト３８が接続され、排気ダクト３８の他端は家屋の外壁を貫通して屋外へ導かれる。
【００１６】
浴室暖房乾燥装置２１に接続され、浴室Ｂに設置されるリモートコントローラ３４は、温風吹出機２２を操作する機能と、換気スイッチ（図示せず）とを備えている。浴室Ｂのリモートコントローラ３４の換気スイッチをオンにすると、換気用ファン２３が運転開始すると共に、切替ダンパー３２はダクト接続部３１側を閉じるように動く。したがって、この場合には、トイレＴの換気は行なわれず、浴室Ｂのみ換気される。
【００１７】
また、浴室暖房乾燥装置２１に接続され、トイレＴに設置されるリモートコントローラ３５は、図５に示すように、タイマーを設定するためのアップ／ダウンスイッチ３９ｕ，３９ｄと換気スイッチ４０、時間表示部４１などを備えている。しかして、この換気スイッチ４０をオンにすると、換気用ファン２３が運転開始すると共に、切替ダンパー３２は浴室側吸気口３０を閉じるように動く。従って、この場合には、浴室Ｂの換気は行なわれず、トイレＴのみ換気され、タイマーに設定されている時間が経過すると、換気用ファン２３が停止する。
【００１８】
また、浴室側のリモートコントローラ３４の換気スイッチとトイレ側のリモートコントローラ３５の換気スイッチ４０が重複してオンになっている場合には、切替ダンパー３２は図４に示すように、中間位置で停止し、浴室ＢとトイレＴの換気が同時に行なわれる。
【００１９】
このような浴室暖房乾燥装置２１もしくは換気装置によれば、簡単に施工することができ、施工手間を簡略化でき、施工費用を安価にできる。また、浴室ＢとトイレＴの双方にリモートコントローラ３４，３５が設けられているので、使い勝手が良好となる。さらには、通常は、浴室側のみ、あるいはトイレ側のみ換気されるので、換気用ファン２３もあまり力の強いものを要求されず、コストを安価にできる。
【図面の簡単な説明】
【図１】従来の浴室用の換気装置とトイレ用の換気装置を示す概略図である。
【図２】従来の別な換気装置を示す概略図である。
【図３】本発明の一実施形態による浴室暖房乾燥装置を示す概略図である。
【図４】同上の浴室暖房乾燥装置を用いて構成した換気装置を示す概略図である。
【図５】トイレ側のリモートコントローラを示す正面図である。
【符号の説明】
２１  浴室暖房乾燥装置
２２  温風吹出機
２３  換気用ファン
２８  ダンパー装置
２９  排気口
３０  浴室側吸気口
３１  ダクト接続部
３２  切替ダンパー
３４，３５  リモートコントローラ
３６  吸気口
３７  吸気ダクト
３８  排気ダクト
【図１】
0003965730.tif 000002
【図２】
0003965730.tif 000003
【図３】
0003965730.tif 000004
【図４】
0003965730.tif 000005
【図５】
0003965730.tif 000006